(57)【要約】【課題】  本発明は、装置又はシステムの設置者が煩雑な作業を行うことなく短時間で、もしくは遠隔地の装置に対しても現地に作業者が赴くことなく、新たな装置又はシステムの最適な画像処理パラメータを設定することができる。【解決手段】  コンピュータネットワークに接続可能なサーバにおける画像処理パラメータカスタマイズ方法であって、所定の画像処理アルゴリズムを有する画像処理装置の画像処理パラメータを前記画像処理装置の使用者の嗜好に適合させて得るための画像処理パラメータカスタマイズ方法において、前記コンピュータネットワークに接続された少なくとも前記使用者の嗜好に適合した画像の入力を促す入力催促段階と、前記入力催促段階に起因して得た画像を解析することにより、前記画像処理装置の画像処理パラメータを決定する画像処理パラメータ決定段階と、を備えることを特徴とする。【選択図】        図１
2005021627.tif 000002
【特許請求の範囲】
【請求項１】
コンピュータネットワークに接続可能なサーバにおける画像処理パラメータカスタマイズ方法であって、所定の画像処理アルゴリズムを有する画像処理装置の画像処理パラメータを前記画像処理装置の使用者の嗜好に適合させて得るための画像処理パラメータカスタマイズ方法において、
前記コンピュータネットワークに接続された少なくとも前記使用者の嗜好に適合した画像の入力を促す入力催促段階と、
前記入力催促段階に起因して得た画像を解析することにより、前記画像処理装置の画像処理パラメータを決定する画像処理パラメータ決定段階と、
を備えることを特徴とする画像処理パラメータカスタマイズ方法。
【請求項２】
前記画像処理パラメータ決定段階で決定された画像処理パラメータを送信するパラメータ送信段階と、
送信段階で転送された画像処理パラメータを受信するパラメータ受信段階と、
前記パラメータ受信段階が受信した画像処理パラメータを前記画像処理装置に設定するパラメータ設定段階と、
を備えることを特徴とする請求項１記載の画像処理パラメータカスタマイズ方法。
【請求項３】
所定の画像特徴量抽出処理段階を含む所定の画像処理アルゴリズムを有する画像処理装置の画像処理パラメータをコンピュータを用い、前記画後処理装置の使用者の嗜好に適合させて得るための画像処理パラメータカスタマイズ方法において、
前記使用者に対して少なくとも前記使用者の嗜好に適合した画像の入力を促す入力催促段階と、
前記入力催促段階に起因して得た画像を前記画像処理装置に適合する画像フォーマットに変換する変換段階と、
前記変換段階により得た画像について前記特徴量抽出処理と同様の処理を行って特徴量を抽出し、該特徴量に基づいて前記画像処理装置の画像処理パラメータを決定する画像処理パラメータ決定段階と、
を備えることを特徴とする画像処理パラメータカスタマイズ方法。
【請求項４】
前記画像処理パラメータ決定段階で決定された画像処理パラメータを前記画像処理装置に設定するパラメータ設定段階と、
を備えることを特徴とする請求項３記載の画像処理パラメータカスタマイズ方法。
【請求項５】
請求項１ないし４いずれかに記載の画像処理パラメータカスタマイズ方法をコンピュータが読み出し可能に収納したことを特徴とする記録媒体。
【請求項６】
画像特徴量抽出手段と、該画像特徴量抽出手段により抽出された特徴量に応じて画像処理を行う画像処理手段と、前記画像処理手段により画像処理された放射線画像を表示する表示手段とを有する画像撮影装置において、
前記使用者に対して少なくとも前記使用者の嗜好に適合した画像の入力を促す入力催促手段、
前記入力催促手段により得た画像について前記特徴量抽出処理と同様の処理を行って特徴量を抽出し、該特徴量に基づいて前記画像処理装置の画像処理パラメータを決定する画像処理パラメータ決定手段と、
前記画像処理パラメータ決定手段により決定された画像処理パラメータを一時記憶する第１の一時記憶手段と、
前記第１の一時記憶手段に記憶された画像処理パラメータを修正して一時記憶する第２の一時記憶手段と、
前記第１または第２の一時記憶手段に一時記憶された画像処理パラメータを用いて前記画像処理手段により前記画像撮影装置で撮影された画像に画像処理を行い、該画像処理により得た画像を前記表示手段に表示させるように制御する制御手段と、
前記第１または第２の一時記憶手段に一時記憶された画像処理パラメータを前記画像処理手段が使用可能な画像処理パラメータとして不揮発に記憶させるよう前記使用者が指示するための記録指示入力手段と、
を有することを特徴とする画像処理装置。
【請求項７】
前記入力催促手段から入力された画像を前記画像処理装置に適合する画像フォーマットに変換する変換手段、
を有することを特徴とする画像処理装置。
【発明の詳細な説明】
【技術分野】
【０００１】
本発明は、例えば、放射線撮影して得られたディジタル画像の画像処理パラメータを決定し、その画像処理パラメータを用いてディジタル画像に階調変換処理等の画像処理を行う装置やシステムに用いられる、画像処理パラメータカスタマイズ方法、画像処理パラメータ決定装置、画像処理装置、及びそれを実施するための処理ステップをコンピュータが読出可能に格納した記憶媒体に関するものである。
【背景技術】
【０００２】
従来より、例えば、Ｘ線等の放射線により被写体を撮像し、その被写体のディジタル画像を得る放射線撮影装置がある。
【０００３】
この放射線撮影装置では、先ず、放射線を被写体に対して照射し、その透過光を固体撮像素子上に直接結像させ、これにより得られた被写体の画像（放射線画像）に対応した画像信号をＣＲＴ（Ｃａｔｈｏｄｅ  Ｒａｙ  Ｔｕｂｅ）表示装置等に可視像として表示したり、或いは、放射線画像に対応した画像信号をディジタル化して、そのディジタルデータの状態で画像処理を行った後、プリントアウトしたりすることが行われる。この様な技術として例えば、特許文献１が上げられる。
【特許文献１】特開平１１−０８９５０号公報
【発明の開示】
【発明が解決しようとする課題】
【０００４】
ところで、上述のような放射線撮影装置において、被写体の撮影する部位（撮影部位）は、撮影目的に応じて異なり、また、放射線画像を可視化する際に行う画像処理は、該画像中の画像処理対象となる撮影部位の画像領域毎に最適な濃度や階調が異なる。
【０００５】
このため、画像処理の際には、各撮影部位の画像領域毎に、それぞれ異なった画像処理パラメータを用いた画像処理を施す必要があり、また、新しい放射線撮影装置を設置する時には、その施設に応じて、画像処理パラメータを撮影部位毎に決定する必要がある。
【０００６】
しかしながら、従来では、放射線撮影装置を新たに設置する場合、その施設で以前使用されていた放射線撮影装置と同様な画像を、新たな放射線撮影装置でも出力できるようにするために、画像処理パラメータを調整する必要があった。この画像処理のパラメータの調整には、新たな放射線撮影装置において、画像処理パラメータを変えながらフィルム出力やモニタ出力を複数回繰り返し行い、以前使用していた放射線撮影装置で得られたものと比較することにより行っていた。
【０００７】
このような作業、すなわち新たな放射線撮影装置を設置する施設にとって最適な画像処理パラメータを決定して設定するために、繰り返しの撮影や、多数のフィルム出力やモニタ出力の比較を行う作業は、使用者にとって大変煩雑な作業であった。
【０００８】
そこで、本発明は、上記の欠点を除去するために成されたもので、画像処理パラメータの調節を最適にかつ容易に行うことを可能とすることで、操作性を向上させた、画像処理パラメータカスタマイズ方法、画像処理パラメータ決定装置、画像処理装置、撮像装置、画像処理システム、画像処理方法、及びそれを実施するための処理ステップをコンピュータが読出可能に格納した記憶媒体を提供することを目的とする。
【課題を解決するための手段】
【０００９】
この発明は下記の構成を備えることにより上記課題を解決できるものである。
【００１０】
（１）コンピュータネットワークに接続可能なサーバにおける画像処理パラメータカスタマイズ方法であって、所定の画像処理アルゴリズムを有する画像処理装置の画像処理パラメータを前記画像処理装置の使用者の嗜好に適合させて得るための画像処理パラメータカスタマイズ方法において、前記コンピュータネットワークに接続された少なくとも前記使用者の嗜好に適合した画像の入力を促す入力催促段階と、前記入力催促段階に起因して得た画像を解析することにより、前記画像処理装置の画像処理パラメータを決定する画像処理パラメータ決定段階と、を備えることを特徴とする画像処理パラメータカスタマイズ方法。
【００１１】
（２）前記画像処理パラメータ決定段階で決定された画像処理パラメータを送信するパラメータ送信段階と、送信段階で転送された画像処理パラメータを受信するパラメータ受信段階と、前記パラメータ受信段階が受信した画像処理パラメータを前記画像処理装置に設定するパラメータ設定段階と、を備えることを特徴とする前記（１）記載の画像処理パラメータカスタマイズ方法。
【００１２】
（３）所定の画像特徴量抽出処理段階を含む所定の画像処理アルゴリズムを有する画像処理装置の画像処理パラメータをコンピュータを用い、前記画後処理装置の使用者の嗜好に適合させて得るための画像処理パラメータカスタマイズ方法において、前記使用者に対して少なくとも前記使用者の嗜好に適合した画像の入力を促す入力催促段階と、前記入力催促段階に起因して得た画像を前記画像処理装置に適合する画像フォーマットに変換する変換段階と、前記変換段階により得た画像について前記特徴量抽出処理と同様の処理を行って特徴量を抽出し、該特徴量に基づいて前記画像処理装置の画像処理パラメータを決定する画像処理パラメータ決定段階と、を備えることを特徴とする画像処理パラメータカスタマイズ方法。
【００１３】
（４）前記画像処理パラメータ決定段階で決定された画像処理パラメータを前記画像処理装置に設定するパラメータ設定段階と、を備えることを特徴とする前記（３）記載の画像処理パラメータカスタマイズ方法。
【００１４】
（５）前記（１）ないし（４）いずれかに記載の画像処理パラメータカスタマイズ方法をコンピュータが読み出し可能に収納したことを特徴とする記録媒体。
【００１５】
（６）画像特徴量抽出手段と、該画像特徴量抽出手段により抽出された特徴量に応じて画像処理を行う画像処理手段と、前記画像処理手段により画像処理された放射線画像を表示する表示手段とを有する画像撮影装置において、前記使用者に対して少なくとも前記使用者の嗜好に適合した画像の入力を促す入力催促手段、前記入力催促手段により得た画像について前記特徴量抽出処理と同様の処理を行って特徴量を抽出し、該特徴量に基づいて前記画像処理装置の画像処理パラメータを決定する画像処理パラメータ決定手段と、前記画像処理パラメータ決定手段により決定された画像処理パラメータを一時記憶する第１の一時記憶手段と、前記第１の一時記憶手段に記憶された画像処理パラメータを修正して一時記憶する第２の一時記憶手段と、前記第１または第２の一時記憶手段に一時記憶された画像処理パラメータを用いて前記画像処理手段により前記画像撮影装置で撮影された画像に画像処理を行い、該画像処理により得た画像を前記表示手段に表示させるように制御する制御手段と、前記第１または第２の一時記憶手段に一時記憶された画像処理パラメータを前記画像処理手段が使用可能な画像処理パラメータとして不揮発に記憶させるよう前記使用者が指示するための記録指示入力手段と、
を有することを特徴とする画像処理装置。
【００１６】
（７）前記入力催促手段から入力された画像を前記画像処理装置に適合する画像フォーマットに変換する変換手段、を有することを特徴とする画像処理装置。
【発明の効果】
【００１７】
以上説明したように本発明によれば、例えば、画像処理機能を有する新たな装置又はシステムを設置する場合、その装置又はシステムに設定する画像処理パラメータを、以前に設置されていた画像処理機能を有する装置又はシステムで得られた画像情報をもとに決定するように構成したので、従来のように、装置又はシステムの設置者が、新たな装置又はシステムを設置する施設にとって最適な画像処理パラメータを決定して設定するために、新たな装置又はシステムで画像処理後の画像を繰り返し取得したり、多数の画像出力を比較するといった煩雑な作業は必要なく、新たな装置又はシステムを設置する施設にとって最適な画像処理パラメータを容易に該装置又はシステムに設定することができる。
【００１８】
したがって、本発明は、装置又はシステムの設置者が煩雑な作業を行うことなく短時間で、もしくは遠隔地の装置に対しても現地に作業者が赴くことなく、新たな装置又はシステムの最適な画像処理パラメータを設定することができる。
【発明を実施するための最良の形態】
【００１９】
以下本発明を実施するための最良の形態を、実施例により詳しく説明する。
【実施例１】
【００２０】
以下、本発明における一実施形態について図面を参照して説明する。図１は、本実施形態の構成を示すブロック図である。この図において、サーバ１００はモデム、ターミナル等を介してインターネットに接続されている。同様に画像の入力を促す入力催促手段２００もインターネットに接続されている。
【００２１】
次にサーバ１００の構成について説明する。図２はサーバ１００の構成を示すブロック図である。この図において、インターネットを介して画像データを入力されるデータ入力手段１０と、データ入力手段１０により入力された画像データを記録保持するメモリ１１と、メモリ１１内の画像データを解析して該画像データの特徴量を抽出する特徴量抽出手段１２と、特徴量抽出手段１２により得られた特徴量に基づいて画像処理パラメータを決定するパラメータ決定手段１３とを備えている。
【００２２】
次に入力催促手段２００の構成について説明する。図３は入力催促手段２００の構成を示すブロック図である。この図において、画像データ取得手段２０は、例えばフィルムスキャナのように、Ｘ線フィルムや輝尽性蛍光体を用いて撮影して得られた画像が出力されたフィルムをディジタル化する手段である。具体的には例えば、画像データ取得手段２０は、レーザ光学系、又はライン光源及びＣＣＤ等のラインセンサを備えており、Ｘ線フィルムの透過光をアナログ／ディジタル変換して、Ｘ線フィルム上の画像を画像データとして取得する。ここで得られる画像データとしては、例えば、半切サイズフィルムを２ｋ×２．５ｋ画素程度、１画素当たり８〜１２ビット程度でディジタル画像化したものとしている。
【００２３】
そして、このディジタル画像データをメモリ２１に記録保持し、データ通信手段２２を介してインターネットで接続されているサーバ１００に画像データを出力する。具体的には例えば、このメモリ２１はフィルムスキャナに接続されたパソコンのハードディスクドライブ装置や光磁気ディスク装置等であり、またデータ通信手段２２もパソコンのネットワークカードである。
【００２４】
また、上述した実施形態では、画像データ取得手段２０として、Ｘ線フィルム等を透過した光を光電変換して、画像データを得るものとしたが、例えば、画像情報が蓄積された輝尽性蛍光体シートが挿入され、その輝尽性蛍光体シートにレーザ光等の励起光を照射し、蓄積記録されたエネルギーに応じて輝尽性発光する光を検知して、それをディジタル化した画像データを得るような画像データ取得手段２０としてもよい。
【００２５】
また、さらに、画像データ取得手段２０およびメモリ２１は、すでにディジタル化された画像データを記録保持したデータベースであって、その画像をデータ通信手段２２を介してインターネットで接続されているサーバ１００に画像データを出力してもよい。
【００２６】
まず、上述のようなサーバ１００の一連の動作について説明する。
【００２７】
特徴量抽出手段１２は、詳細は後述するが、メモリ１１に記録保持された画像データを解析し、照射野領域、被写体領域、部位領域、Ｘ線フィルムの中心位置の矩形領域などの画素値の平均値等を特徴量として生成する。
【００２８】
パラメータ決定手段１３は、詳細は後述するが、特徴量抽出手段１２により生成された特徴量に基づいて、画像処理パラメータを決定する。
【００２９】
したがって、このパラメータ決定手段１３にて決定された画像処理パラメータが、画像処理装置に対して設定されることになる。
【００３０】
ここで、例えば、上述のような画像処理パラメータカスタマイズ方法に基づいて放射線撮影装置を新たに設置するものとする。
【００３１】
また、以前の設置されていた放射線撮影装置は、次のような構成としているものとする。
【００３２】
以前に設置されていた放射線撮影装置には、図４に示すような位置、大きさ、形状のホトセンサ４１〜４３が設けられている。それぞれのホトセンサ４１〜４３は、例えば、横５０ｍｍ、縦５０ｍｍの矩形状であり、ホトセンサ４１は、胸当ての中心部分に位置し、他のホトセンサ４２及び４３は、ホトセンサ４１の位置よりも２０ｍｍ離れて左右対称に位置する。
【００３３】
このようなホトセンサ４１〜４３は、撮影時の放射線強度を検出し、放射線の曝射を制御するものである。そのため、この領域と一致するフィルム上の領域の濃度は被写体に関わらず一定濃度となる。
【００３４】
一方の新たに放射線撮影装置についても、上述の以前に設置されていた放射線撮影装置と同様の領域が同じ濃度となるように、画像処理を行うものとする。
【００３５】
この場合、本画像処理パラメータカスタマイズ方法では、特徴量抽出手段１２及びパラメータ決定手段１３で、次のような処理が行われる。
【００３６】
先ず、使用者によって、以前に設置されていた放射線撮影装置にて得られた画像情報が出力されたＸ線フィルムが、画像データ取得手段２０に挿入される。
【００３７】
画像データ取得手段２０は、上述したようにしてＸ線フィルム上の画線情報を画像データとして読み取り、これをメモリ２１に記録保持させる。そして、メモリ２１に記録保持された画像データは、データ通信手段２２を介してインターネットで接続されているサーバ１００に転送される。
【００３８】
サーバ１００に転送された画像データは、データ入力手段１０を介してメモリ１１に記録保持される。
【００３９】
特徴量抽出手段１２は、メモリ１１に記録保持された画像データから、上記図４に示したホトセンサ４１〜４３の配置等に対応する画像領域における画素の最大値、最小値、平均値、中央値、最頻値等の統計値を特徴量として取得する。
【００４０】
例えば、対象画像（メモリ１１に記録保持されたＸ線フィルム上の画像データ）が胸部画像である場合、左右対称に配置された２つのホトセンサ４１及び４２に対応する画像領域内の画素の平均値をそれぞれ算出し、それらの平均値のうち大きい方の平均値を特徴量として用いる。また、対象画像が腹部画像である場合、全てのホトセンサ４１〜４３に対応する画像領域内の画素の平均値をそれぞれ算出し、それらの平均値のうち一番大きい値を特徴量として用いる。
【００４１】
なお、本放射線撮影装置が、撮影部位毎に対応する画像領域を変更するものである場合、特徴量抽出手段１２は、撮影部位毎に対応する画像領域を変更して特徴量を取得する。
【００４２】
パラメータ決定手段１３は、特徴量抽出手段１２により得られた特徴量を統計的に解析して新たに設置する放射線撮影装置で用いる画像処理パラメータを決定する。
【００４３】
例えば、対象画像中の各撮影部位において、最も頻度が高い特徴量を求め、その特徴量を、予め用意されているルックアップテーブルを参照することで、新たに設置する放射線撮影装置で用いる画像処理パラメータに換算する。これにより、新たに設置する放射線撮影装置に対して最適な画像処理パラメータが決定されることになる。
【００４４】
さらに、図５に示すように、パラメータ決定手段１３で決定された画像処理パラメータをパラメータ転送手段１４を介してインターネットに配信し、インターネットに接続されたパラメータ受信手段１５よりパラメータ設定手段１６に送られ、設置された放射線撮影装置に決定されたパラメータを設定することも可能である。この様にインターネットを介して最適な画像処理パラメータを設定できることにより、遠隔地に設置された放射線撮影装置があっても作業者がその現地に行かずに設定が可能である。
【００４５】
そして、設定されたパラメータをメモリに記憶し、そのパラメータを元に撮影した画像の画像処理を行い、その処理画像をＣＲＴなどの表示装置に出力して、その画像が使用者の嗜好に適するか評価し、適さなければ修正を行い、修正した結果を新たなパラメータとして記憶してもよい。
【００４６】
上述のように、本実施の形態では、以前に設置されていた放射線撮影装置にて得られたＸ線フィルムやＣＲ画像等の過去の画像（検査画像）を解析し、それをもとに、新たに設置する放射線撮影装置の画像処理パラメータを決定するように構成したので、従来のように使用者が、新たな放射線撮影装置を設置する施設にとって最適な画像処理パラメータを決定して設定するために、繰り返しの撮影や、多数のフィルム出力やモニタ出力の比較を行う必要はなく、新たな放射線撮影装置を設置する施設にとって最適な画像処理パラメータを容易に該放射線撮影装置に設定することができる。
【００４７】
また、１枚のＸ線フィルムや輝尽性蛍光体シート等の記録シートに画像データが複数分割して記録されている場合、図６に示すように四肢の画像で左右分割して撮影される場合は、左右それぞれの画像データに対して特徴量を取得するような画像フォーマット変換手段があってもよい。例えば、記録シートの分割パターンは、記録シートの画像領域を分割し、この分割領域間の類似度をみて認識することができる（特開平２−２７２５３２号公報参照）。このようにして分割された画像領域毎に特定領域の特徴量を算出する。
【００４８】
更に、輝尽性蛍光体シート等の撮影された検査画像データを、レーザーイメージャ等で縮小してフィルム出力されている場合は、それぞれの画像データの縮小率に比例して特定領域を縮小し、その縮小された領域に対して特徴量を取得するような画像フォーマット変換手段があってもよい。撮影に使用される輝尽性蛍光体シート等の記録シートのサイズは、半切、大角、四切等と撮影する部位によって決まっている。検査画像データが記録されているフィルムを各部位毎に画像データ取得手段２０で読み取り読み取る際に、そのフィルムサイズを検出することにより、部位毎の記録シートのサイズと検出されたフィルムサイズの比率より縮小率を算出することができる。また、胸部などの同じ被写体の画像で、通常処理画像と周波数強調処理画像など２種類の画像を１枚のフィルムに分割して出力している場合は、更にその分割数に応じて縮小率を変更する。
【００４９】
特徴量を算出する領域は上述の領域以外に、照射野領域や被写体領域や部位領域などをＸ線フィルムや輝尽性蛍光体シート等の記録シートの画像データから抽出して用いてもよい。例えば、図７に示すような胸部の画像の場合などは、まず、照射野絞りで絞られた中領域である照射野領域７１を抽出し、次に素抜け領域７２を除いた被写体領域７３を抽出し、最後に注目領域である肺野領域７４を抽出し、その領域を特定領域として特徴量を算出してもよい。
【００５０】
照射野領域を抽出する方法としては、例えば、画像領域を小領域に分割し、この小領域の濃度分散値の値に基づいて照射野を抽出する方法がある（特開平０５−００７５７９号公報）。また、画像領域端部近傍の所定画素間の画像濃度変化を１次式で近似し、この近似式による想定濃度値と画像の実際の濃度値との差から照射野領域を抽出する方法もある（特公平０６−９０４１２号公報）。
【００５１】
被写体領域を抽出する方法としては、例えば、前述の方法で抽出した照射野領域内の信号値のヒストグラムを作成し、被写体領域と素抜け領域を分離し、抽出する方法がある（特公平０８−７２７５１号公報）。
【００５２】
部位領域を抽出する方法としては、例えば、撮影部位によってヒストグラムのパターンは決まっているので、その所望部位のヒストグラムのパターンを元に信号値の範囲を決め、抽出する方法がある（特公平０６−７１３２５号公報）。
【００５３】
また、本発明の目的は、上述した実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
【００５４】
この場合、記憶媒体から読み出されたプログラムコード自体が本実施の形態の機能を実現することとなり、そのプログラムコードを記憶した記憶媒体は本発明を構成することとなる。
【００５５】
プログラムコードを供給するための記憶媒体としては、ＲＯＭ、フロッピー（Ｒ）ディスク、ハードディスク、光ディスク、光磁気ディスク、ＣＤ−ＲＯＭ、ＣＤ−Ｒ、磁気テープ、不揮発性のメモリカード等を用いることができる。
【００５６】
また、コンピュータが読みだしたプログラムコードを実行することにより、本実施の形態までもない。
【図面の簡単な説明】
【００５７】
【図１】本発明における実施形態の構成を示すブロック図である。
【図２】本発明におけるサーバの実施形態の構成を示すブロック図である。
【図３】本発明における入力催促手段の実施形態の構成を示すブロック図である。
【図４】上記放射線撮影装置のホトセンサを説明するための図である。
【図５】パラメータ設定を説明するための図である。
【図６】上記分割パターンを説明するための図である
【図７】特徴量抽出を説明するための図である。
【符号の説明】
【００５８】
１０  データ入力手段
１１  メモリ
１２  特徴量抽出手段
１３  パラメータ決定手段
１４  パラメータ転送手段
１５  パラメータ受信手段
１６  パラメータ設定手段
２０  画像データ取得手段
２１  メモリ
２２  データ通信手段
４１，４２，４３  ホトセンサ
７１  照射野領域
７２  素抜け領域
７３  被写体領域
７４  肺野領域
１００  サーバ
２００  入力催促手段
【図１】
2005021627.tif 000003
【図２】
2005021627.tif 000004
【図３】
2005021627.tif 000005
【図４】
2005021627.tif 000006
【図５】
2005021627.tif 000007
【図６】
2005021627.tif 000008
【図７】
2005021627.tif 000009